【手続補正書】
【提出日】平成30年3月20日(2018.3.20)
【手続補正１】
【補正対象書類名】明細書
【補正対象項目名】０００６
【補正方法】変更
【補正の内容】
【０００６】
上記目的を達成するため、本発明の一態様の画像生成装置は、
相異なるグループの各々に属する複数の画像を取得する画像取得手段と、
新たな画像生成に使用する画像数を決定する画像数決定手段と、
前記画像取得手段により取得された前記相異なるグループの各々に属する複数の画像の付帯情報に基づいて、前記画像取得手段により取得された前記複数の画像から、前記相異なるすべてのグループにおいて少なくとも一つ以上の画像を選択することにより、前記画像数決定手段により決定された前記画像数の画像を選択する画像選択手段と、
前記画像選択手段により選択された複数の画像から、新たな画像を生成する生成手段と、
を備えたことを特徴とする。
【手続補正２】
【補正対象書類名】特許請求の範囲
【補正対象項目名】全文
【補正方法】変更
【補正の内容】
【特許請求の範囲】
【請求項１】
相異なるグループの各々に属する複数の画像を取得する画像取得手段と、
新たな画像生成に使用する画像数を決定する画像数決定手段と、
前記画像取得手段により取得された前記相異なるグループの各々に属する複数の画像の付帯情報に基づいて、前記画像取得手段により取得された前記複数の画像から、前記相異なるすべてのグループにおいて少なくとも一つ以上の画像を選択することにより、前記画像数決定手段により決定された前記画像数の画像を選択する画像選択手段と、
前記画像選択手段により選択された複数の画像から、新たな画像を生成する生成手段と、
を備えたことを特徴とする画像生成装置。
【請求項２】
前記相異なるグループの各々に属する複数の画像の各々の付帯情報を評価する評価手段を備え、
前記画像選択手段は、前記評価手段による評価に基づいて、前記相異なるグループの各々から画像を選択する、
ことを特徴とする請求項１に記載の画像生成装置。
【請求項３】
前記画像選択手段は、前記相異なるグループ内における前記評価手段による評価の高さが所定の順位の画像を各々選択する、
ことを特徴とする請求項２に記載の画像生成装置。
【請求項４】
前記画像選択手段は、前記相異なるグループの各々から、前記複数の画像を選択する、
ことを特徴とする請求項１から３の何れか１項に記載の画像生成装置。
【請求項５】
前記画像選択手段は、前記相異なるグループの各々から、当該相異なるグループの各々に属する複数の画像の総数より少ない数の画像を選択する、
ことを特徴とする請求項１から４の何れか１項に記載の画像生成装置。
【請求項６】
前記相異なるグループから特定のグループを選択するグループ選択手段を更に備え、
前記画像選択手段は、前記相異なるグループのうち、前記グループ選択手段により特定のグループとして選択されたグループと、当該特定のグループとして選択されなかったグループとで、画像の選択手法を変更する、
ことを特徴とする請求項２に記載の画像生成装置。
【請求項７】
前記画像選択手段は、前記特定のグループ内では前記評価手段による評価が所定の順位の画像を選択する一方、前記相異なるグループのうち、前記特定のグループ以外のグループ内では無作為に画像を選択する、
ことを特徴とする請求項６に記載の画像生成装置。
【請求項８】
複数の画像を相異なるグループに分割する分割手段を更に備え、
前記画像選択手段は、前記分割手段によって相異なるグループに分割された複数の画像を取得する、
ことを特徴とする請求項１から７の何れか１項に記載の画像生成装置。
【請求項９】
前記分割手段は、複数の画像を前記画像数決定手段により決定された前記画像数に対応する数の相異なるグループに分割する、
ことを特徴とする請求項８に記載の画像生成装置。
【請求項１０】
複数の期間から特定の期間を設定する期間設定手段を更に備え、
前記画像取得手段は、前記期間設定手段により設定された期間に対応する前記相異なるグループの各々に属する複数の画像を取得する、
ことを特徴とする請求項１から９の何れか１項に記載の画像生成装置。
【請求項１１】
前記相異なるグループは、特定の日単位、週単位、月単位、季節単位、年単位、又は暦単位である特定の単位毎となる、
ことを特徴とする請求項１から１０の何れか１項に記載の画像生成装置。
【請求項１２】
前記生成手段は、前記新たな画像として、前記選択された複数の画像を１つの画像内に配置した画像を生成する、
ことを特徴とする請求項１から１１の何れか１項に記載の画像生成装置。
【請求項１３】
前記選択された複数の画像の１つの画像内への配置は、位置とサイズを予め設定したレイアウトに基づいて決定する、
ことを特徴とする請求項１２に記載の画像生成装置。
【請求項１４】
前記画像選択手段は、前記相異なるグループに属する複数の画像から動画像又は静止画像の少なくとも一方を選択する、
ことを特徴とする請求項１から８の何れか１項に記載の画像生成装置。
【請求項１５】
前記画像選択手段は、前記特定のグループに属する複数の画像から動画像又は静止画像の少なくとも一方を選択する、
ことを特徴とする請求項６又は７に記載の画像生成装置。
【請求項１６】
前記評価手段による評価結果に基づいて、前記相異なるグループの各々に属する複数の画像の各画像に動画生成のための再生時間を設定する再生時間設定手段と、
を更に備え、
前記画像数決定手段は、前記再生時間設定手段により設定された前記再生時間に基づいて、新たな動画の生成に使用する画像数を決定する、
ことを特徴とする請求項２に記載の画像生成装置。
【請求項１７】
前記生成手段は、前記新たな画像として、前記選択された複数の画像をつなぎ合わせて動画を生成する、
ことを特徴とする請求項１から６の何れか１項に記載の画像生成装置。
【請求項１８】
前記生成手段は、前記選択された画像に基づいて、エフェクトを付与する、
ことを特徴とする請求項１７に記載の画像生成装置。
【請求項１９】
前記画像数決定手段は、ユーザ操作に基づいて、任意に画像生成に使用する画像数を決定する、
ことを特徴とする請求項１から１８の何れか１項に記載の画像生成装置。
【請求項２０】
相異なるグループの各々に属する複数の画像を各々取得する画像取得ステップと、
新たな画像生成に使用する画像数を決定する画像数決定ステップと、
前記画像取得ステップにより各々取得された前記相異なるグループの各々に属する複数の画像の付帯情報に基づいて、前記画像取得ステップにより取得された前記複数の画像から、前記相異なるすべてのグループにおいて少なくとも一つ以上の画像を選択することにより、前記画像数決定ステップにより決定された前記画像数の画像を選択する画像選択ステップと、
前記画像選択ステップにより選択された複数の画像から、新たな画像を生成する生成ステップと、
を含むことを特徴とする画像生成方法。
【請求項２１】
コンピュータを、
相異なるグループの各々に属する複数の画像を各々取得する画像取得手段、
新たな画像生成に使用する画像数を決定する画像数決定手段、
前記画像取得手段により各々取得された前記相異なるグループの各々に属する複数の画像の付帯情報に基づいて、前記画像取得手段により取得された前記複数の画像から、前記相異なるすべてのグループにおいて少なくとも一つ以上の画像を選択することにより、前記画像数決定手段により決定された前記画像数の画像を選択する画像選択手段、
前記画像選択手段により選択された複数の画像から、新たな画像を生成する生成手段、
として機能させることを特徴とするプログラム。